(57)【要約】【課題】高圧洗浄水が水圧で網を広げるので網に付着している海藻等を確実に、また効率的に除去する作業を少ない人員で、短時間で行うことができる。除去した海藻等は略水切りした状態で回収するので作業性に優れており、しかも構成が簡潔なので手入れ等の面倒も無い網用高圧水洗浄装置を提供する。【解決手段】洗浄作業台１に後上がりに傾斜させて設けた漁網洗浄部３は、格子状の網支持体４に漁網受け体５を被せて結束バンド６で締結して構成してある。洗浄作業台１の横方向一側には、被洗浄網を漁網洗浄部３上に案内するガイド体７が立設してある。洗浄作業台１の前縁には噴射ノズル９を支持するノズル支持体８が立設してある。洗浄作業台１の下には排水性を有する異物収容体１０が配置してある。【選択図】図１
2020054945.tif 000002
【特許請求の範囲】
【請求項１】
多孔材からなる漁網洗浄部を有する洗浄作業台と、該洗浄作業台の横方向一側に設けた網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしてなる漁網用高圧水洗浄装置。
【請求項２】
前記洗浄作業台は、前記漁網洗浄部を前側より後側が高い傾斜面に支持していることを特徴とする請求項１記載の漁網用高圧水洗浄装置。
【請求項３】
前記漁網洗浄部は、棒鋼を格子状に組んだ網支持体と、該網支持体上に交換可能に係着した漁網受け体とから構成してあることを特徴とする請求項１記載の漁網用高圧水洗浄装置。
【請求項４】
前記漁網受け体は、前記網支持体に長めの結束バンドを用いて締着し、該結束バンドの余丁部は前記漁網洗浄部の下方に突出させてある請求項３記載の漁網用高圧水洗浄装置。
【請求項５】
前記洗浄作業台には、前記洗浄ノズルを回動、かつ俯仰動可能に支持するノズル支持体を設けてあることを特徴とする請求項１記載の漁網用高圧水洗浄装置。
【請求項６】
前記洗浄作業台の他側位置に、前記被洗浄網を一側から他側に移動させる網移動機構を配置してあることを特徴とする請求項１記載の漁網用高圧水洗浄装置。
【請求項７】
洗浄作業台の多孔材からなる漁網洗浄部上を、該洗浄作業台の横方向一側に設けた網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにしてなる漁網の洗浄方法。
【発明の詳細な説明】
【技術分野】
【０００１】
本発明は、漁網に付着した海藻、木片等の異物を効率良く除去し、速やかに再使用できるようにするための漁網用高圧水洗浄装置及び漁網の洗浄方法に関する。
【背景技術】
【０００２】
漁網、特に魚の通り道に張巡らして設置する刺し網には、潮流に乗って海藻、その他の異物（以下、海藻等という。）が付着し、魚を捉える網目が塞がれて漁獲量の低下を招き、刺し網が潮流の影響を受け易くなって安定性が悪くなるという問題がある。また、漁船で漁網を巻き上げる際に、漁網に海藻が絡んでくる事態も起きている。
このため、漁を終えた刺し網から海藻等を除去する作業が必要であり、従来は手作業で除去していた。しかし、海藻等は網に絡まった状態で付着していることや、刺し網の長さは約１，２００ｍあることから、除去作業には非常に手間が掛り、多くの作業時間と人員を要していた。そして、この刺し網の洗浄作業を日に４〜５枚行うことは、極めて大きな負担になっている。
そこで、刺し網をビニールシートに包んで海藻を発酵させることで除去の手作業を省く方法も行われているが、効率的ではないし、その日のうちに除去できないので複数枚の網が必要になるという欠点がある。
【０００３】
そこで、漁網から海藻等を除去する作業の機械化が研究され、網洗浄装置が提案されている。この網洗浄装置は、洗浄すべき網が通過する１または２以上の通路と、該通路に設けられた切欠き部から網に圧水を噴射する１または２以上の高圧ノズルとからなり、前記通路が入口から出口にかけて漸次高くなる勾配を形成した構成からなるものである（特許文献１）。
【０００４】
また、コンベア搬送手段１の搬送路上方に枠体２を設置し、その枠体２に中空回転軸３を回転可能に垂下軸承し、その回転軸３の下端外周に噴射ノズル４を放射状に配向して接続すると共に、各ノズル４の先端は斜め下向きに屈曲させ、中空回転軸３上部に高圧水送水パイプ５を漏洩防止手段１１を介して嵌合締着した漁網洗浄装置が知られている（特許文献２）。
【先行技術文献】
【特許文献】
【０００５】
【特許文献１】特開２００９−２２０００５号公報
【特許文献２】実開昭６０−２４３８３号公報
【発明の概要】
【発明が解決しようとする課題】
【０００６】
上述した特許文献１の網洗浄装置は、のりの付着している網を通路７、７の間に配置した複数のリングからなる環状部材６に摺動させながら挿通するが、のりが付着している網は正常な網の数倍の太さになっているから環状部材６を挿通するのに大きな力を必要とするし、時間も要するという欠点がある。
更に大きな問題は、環状部材６を通る網は付着しているのりも含めて束ねた状態になっているから、切欠き部８が設けてあるとしてもその部分で網が展開する訳ではなく、高圧水を噴射しても絡みついているのりを効率的に、確実に除去することはできないことである。また、不定形な形ののりは水圧で飛ばされて周囲に付着するから、除去作業後の装置の手入れが面倒であるという欠点がある。
【０００７】
また、特許文献２の漁網洗浄装置は、コンベア搬送手段１のベルト６上に乗せて移送する網体１６に噴射ノズル４から高圧水を噴射することで海草、泥等を除去するものであるが、除去されて落下する海草、泥等はＵターンして下側を移動しているベルトに付着してしまうという欠点がある。ベルト６が金網状、パンチングボードであるとしても海草、泥等が付着して網体１６の目を塞ぐことは避けられないという欠点もある。
【０００８】
本発明は上述した従来技術の諸欠点に鑑みなされたもので、高圧洗浄水が水圧で網を広げるので網に付着している海藻等を確実に、また効率的に除去できるので、洗浄作業を従来よりも少ない人員で、かつ短時間で行うことが可能であるから、網を速やかに再使用できるし、除去した海藻等は略水切りした状態で回収するので作業性に優れており、しかも構成が簡潔なので手入れ等の面倒も無い漁網用高圧水洗浄装置を提供することを目的とする。
【課題を解決するための手段】
【０００９】
（１）上述した課題を解決するための構成した請求項１に係る本発明は、多孔材からなる漁網洗浄部を有する洗浄作業台と、該洗浄作業台の横方向一側に設けた網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしたものからなる。
（２）そして、前記洗浄作業台は、前記漁網洗浄部を前側より後側が高い傾斜面に支持するとよい。
（３）また、前記漁網洗浄部は、棒鋼を格子状に組んだ網支持体と、該網支持体上に交換可能に係着した漁網受け体とから構成するとよい。
（４）また、前記漁網受け体は、前記網支持体に長めの結束バンドを用いて締着し、該結束バンドの余丁部は前記漁網洗浄部の下方に突出させるとよい。
（５）さらに、前記洗浄作業台には、前記洗浄ノズルを回動、かつ俯仰動可能に支持するノズル支持体を設けるとよい。
（６）さらに、前記洗浄作業台の他側位置に、前記被洗浄網を一側から他側に移動させる網移動機構を配置するとよい。
（７）そして、洗浄作業台の多孔材からなる漁網洗浄部上を、該洗浄作業台の横方向一側に設けた網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにするとよい。
【発明の効果】
【００１０】
本発明は上記の如く構成したから、下記の諸効果を奏する。
（１）被洗浄網は漁網洗浄部上で高圧洗浄水が噴射されることにより、水圧でより広がった状態になるから被洗浄網に付着している海藻等を確実に、効率良く除去することができる。
（２）被洗浄網に付着している海藻等を除去する作業は、目視しながら噴射ノズルから高圧洗浄水をピンポイントで噴射するから確実に除去することができる。
（３）漁網洗浄部は前側より後側が高い傾斜面に設定したから、水圧で被洗浄網が上端側に寄って束状になるのを防止でき、洗浄作業の効率を上げることができる。
（４）漁網洗浄部は、網支持体に漁網受け体を交換可能に係着して構成したから、水圧や摩耗で損傷した漁網受け体を交換することができる。
（５）漁網受け体を網支持体に締結する結束バンドには長さのあるものを用いて余丁部を漁網洗浄部の下方に突出させることにより、結束バンドに漁網が引っ掛かるのを防止し、また海藻等が水圧で周囲に飛散するのを防止して異物収容体に収容することができる。
（６）洗浄作業台の他側位置に、被洗浄網を一側から他側に移動させる網移動機構を配置することで、作業効率の向上と作業者の負担を軽減することができる。
（７）漁網から海藻等を除去する作業は当日中に終わらせることができるから、予備の漁網を用意しておく必要がない。
【図面の簡単な説明】
【００１１】
【図１】本発明の実施の形態に係る漁網用高圧水洗浄装置を一部を破断にして示す全体構成図である。
【図２】ノズル支持体の部分拡大図である。
【図３】漁網用高圧水洗浄装置の使用状態を示す縦断面図である。
【発明を実施するための形態】
【００１２】
以下、本発明の実施の形態を図面に基いて説明する。図において、１は洗浄作業台、２は該洗浄作業台１を構成する鉄骨製の台本体で、該台本体２は横長方形の枠部２Ａと、該枠部２Ａの前側両端に設けた左右一対の前脚２Ｂ、２Ｂと、該前脚２Ｂより長い左右一対の後脚２Ｃ、２Ｃとから構成してあり、洗浄作業台１は前側より後側が高い後上がりに傾斜している。
【００１３】
３は前記枠部２Ａ内に設けた全面が後上がりの傾斜面になった多孔材で構成した漁網洗浄部を示す。該網洗浄部３は棒鋼を目の粗いあや織りに組んで強度性を持たせた網支持体４と、該網支持体４の上に張設した金網からなる漁網受け体５とから構成してあり、該漁網受け体５は例えば多数本の結束バンド６で網支持体４に締着してある。この結束バンド６による締結で、漁網受け体５が水圧で網支持体４に繰り返し擦られて摩耗し、変形し、或いは断線する等の損傷を防止するが、また損傷を受けた漁網受け体５の交換を可能にしている。
また、結束バンド６には余丁部６Ａになる長さのあるものを用い、該余丁部６Ａは漁網洗浄部３の下方に突出させることにより、被洗浄網Ｎが引っ掛るのを防止し、また海藻等が水圧で周囲に飛散するのを防止して後述する異物収容体１０に確実に回収できるようにしてある。
【００１４】
７は前記台本体２の枠部２Ａ右端側に立設した網ガイド体を示す。該網ガイド体７は枠部２Ａに溶接手段により固着して立設した一対の金属製丸棒からなるガイド棒７Ａ、７Ａで構成してあり、離間するガイド棒７Ａ、７Ａの間で被洗浄網Ｎを横移動させることで漁網洗浄部３の略中央に案内するものである。
【００１５】
８、８は台本体２の前縁に左右に離間して立設した一対のノズル支持体を示す。該各ノズル支持体８は台本体２に溶接手段により固着した有底の支持筒８Ａと、該支持筒８Ａに挿脱可能に挿設し、長さが調節可能な支柱８Ｂと、該支柱８Ｂの上端に矢示イ、ロ方向に回動可能に嵌着した支持キャップ８Ｃと、該支持キャップ８Ｃに矢示ハ、ニ方向に俯仰動可能に軸着したノズル支持板８Ｄとから構成してある。
そして、ノズル支持体８は、ノズル支持板８Ｄに噴射ノズル９を漁網洗浄部３に向けた下向きの状態で挿嵌することにより支持するもので、噴射ノズル９は矢示イ、ロ方向の横方向に回動可能、かつ矢示ハ、ニ方向の上下方向に俯仰動可能になっている。
【００１６】
９は被洗浄網Ｎから海藻等の異物を除去するための洗浄ノズルを示す。該洗浄ノズル９は図示しない高圧ポンプに耐圧ホース９Ａで接続してあり、１６〜１８ｋｇ／ｈの高圧洗浄水を被洗浄網Ｎに噴射するものである。そして、噴射ノズル９は作業者が手で支えて使用することも可能であるが、高圧ポンプから圧送される水の振動等で洗浄ノズル９も振動し作業者に負担が掛ることから、前記各ノズル支持体８を用いることで洗浄作業を楽に行うことができる。
【００１７】
１０、１０は洗浄作業台１の下に横並びに配置した２個の異物収容体を示す。該各異物収容体１０は上方が開放した箱からなり、底面１０Ａ及び各側面１０Ｂには多数の排水穴１０Ｃ、１０Ｃ、・・・が形成してあり、被洗浄網Ｎから除去した海藻片、異物のみを収容し、洗浄水は流出するようになっている。
【００１８】
本実施の形態に係る漁網用高圧水洗浄装置は上述の構成からなるもので、次にその作用について説明する。海に設置してある刺し網には潮流に乗って海藻等が付着し、また海から引き揚げる際にも海藻等が刺し網に付着することから、次の漁のために陸上では被洗浄網Ｎから海藻等を除去する洗浄作業を行う。
【００１９】
魚を回収した後のランダムに重なった状態にある被洗浄網Ｎは、その一端側を作業員が引いて網ガイド体７のガイド棒７Ａ、７Ａの間を通し、漁網洗浄部３の略中央に一側から他側にかけて乗せ、噴射ノズル９から約１６〜１８ｋｇ／ｈの高圧洗浄水を被洗浄網Ｎに向けて噴射する。高圧洗浄水を受けた被洗浄網Ｎは水圧で広がった状態になり、付着している海藻等も水圧を受けるために被洗浄網Ｎから吹飛ばされるように除去される。そして、被洗浄網Ｎを洗浄作業台１の他側から引き寄せながら順次洗浄作業を行う。
【００２０】
本実施の形態では、２個の噴射ノズル９、９を用いて一次洗浄、二次洗浄を行っており、またピンポイントで海藻等を狙って高圧洗浄水を噴射することで、海藻等を確実に除去することができる。
被洗浄網Ｎから除去された海藻等は、漁網洗浄部３から下方に配置してある異物収容体１０内に落下して収容される。異物収容体１０は排水性があるので洗浄水は流失し、海藻等のみが残って重量もさほど重くならないことから後の廃棄処分作業を楽に行うことができる。
【００２１】
また、ノズル支持体８は伸縮可能に構成してあり、作業者の身長に応じて噴射ノズル９の高さ調整ができるから作業効率を向上することができる。更に、ノズル支持体８は洗浄作業台１に対して着脱自在であり、噴射ノズル９はノズル支持体８に着脱自在であるから、洗浄作業の内容によってはノズル支持体８を使用しないことも可能である。
【００２２】
なお、漁網洗浄部３は棒鋼を格子状に組んだ網支持体４と金網からなる漁網受け体５とから構成したが、漁網受け体に例えばパンチングメタルを用いてもよいものである。この場合には、隣接する一対の孔にかけて結束バンド６を通して余丁部６Ａを下方に突出すればよい。
【００２３】
なお、本実施の形態では被洗浄網Ｎの移動は、作業員が漁網洗浄部３上を漁網をたぐり寄せる作業によって行っていたが、手動或いは電動の網巻き取り機等を用いて被洗浄網Ｎを移動させてもよい。
【符号の説明】
【００２４】
１      洗浄作業台
３      漁網洗浄部
４      網支持体
５      漁網受け体
６      結束バンド
７      網ガイド体
８      ノズル支持体
９      洗浄ノズル
１０    異物収容体
Ｎ      被洗浄網
【図１】
2020054945.tif 000003
【図２】
2020054945.tif 000004
【図３】
2020054945.tif 000005
【手続補正書】
【提出日】令和1年7月29日(2019.7.29)
【手続補正１】
【補正対象書類名】特許請求の範囲
【補正対象項目名】請求項１
【補正方法】変更
【補正の内容】
【請求項１】
多孔材からなる漁網洗浄部を有する洗浄作業台と、該洗浄作業台の横方向一側に互いに離間して設けた一対のガイド棒からなる網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしてなる漁網用高圧水洗浄装置。
【手続補正２】
【補正対象書類名】特許請求の範囲
【補正対象項目名】請求項７
【補正方法】変更
【補正の内容】
【請求項７】
洗浄作業台の多孔材からなる漁網洗浄部上を、該洗浄作業台の横方向一側に互いに離間して設けた一対のガイド棒からなる網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにしてなる漁網の洗浄方法。
【手続補正３】
【補正対象書類名】明細書
【補正対象項目名】０００９
【補正方法】変更
【補正の内容】
【０００９】
（１）上述した課題を解決するための構成した請求項１に係る本発明は、多孔材からなる漁網洗浄部を有する洗浄作業台と、該洗浄作業台の横方向一側に互いに離間して設けた一対のガイド棒からなる網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしたものからなる。
（２）そして、前記洗浄作業台は、前記漁網洗浄部を前側より後側が高い傾斜面に支持するとよい。
（３）また、前記漁網洗浄部は、棒鋼を格子状に組んだ網支持体と、該網支持体上に交換可能に係着した漁網受け体とから構成するとよい。
（４）また、前記漁網受け体は、前記網支持体に長めの結束バンドを用いて締着し、該結束バンドの余丁部は前記漁網洗浄部の下方に突出させるとよい。
（５）さらに、前記洗浄作業台には、前記洗浄ノズルを回動、かつ俯仰動可能に支持するノズル支持体を設けるとよい。
（６）さらに、前記洗浄作業台の他側位置に、前記被洗浄網を一側から他側に移動させる網移動機構を配置するとよい。
（７）そして、洗浄作業台の多孔材からなる漁網洗浄部上を、該洗浄作業台の横方向一側に互いに離間して設けた一対のガイド棒からなる網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにするとよい。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
棒鋼を格子状に組んだ網支持体上に漁網受け体を交換可能に係着して構成した漁網洗浄部を有する洗浄作業台と、該洗浄作業台の横方向一側に互いに離間して設けた一対のガイド棒からなる網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしてなる漁網用高圧水洗浄装置。
【請求項２】
前記洗浄作業台は、前記漁網洗浄部を前側より後側が高い傾斜面に支持していることを特徴とする請求項１記載の漁網用高圧水洗浄装置。
【請求項３】
前記漁網受け体は、前記網支持体に長めの結束バンドを用いて締着し、該結束バンドの余丁部は前記漁網洗浄部の下方に突出させてある請求項１記載の漁網用高圧水洗浄装置。
【請求項４】
前記洗浄作業台には、前記洗浄ノズルを回動、かつ俯仰動可能に支持するノズル支持体を設けてあることを特徴とする請求項１記載の漁網用高圧水洗浄装置。
【請求項５】
前記洗浄作業台の他側位置に、前記被洗浄網を一側から他側に移動させる網移動機構を配置してあることを特徴とする請求項１記載の漁網用高圧水洗浄装置。
【請求項６】
洗浄作業台を構成し、棒鋼を格子状に組んだ網支持体上に漁網受け体を交換可能に係着してなる漁網洗浄部上を、該洗浄作業台の横方向一側に互いに離間して設けた一対のガイド棒からなる網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにしてなる漁網の洗浄方法。
【手続補正２】
【補正対象書類名】明細書
【補正対象項目名】０００９
【補正方法】変更
【補正の内容】
【０００９】
（１）上述した課題を解決するための構成した請求項１に係る本発明は、棒鋼を格子状に組んだ網支持体上に漁網受け体を交換可能に係着して構成した漁網洗浄部を有する洗浄作業台と、該洗浄作業台の横方向一側に互いに離間して設けた一対のガイド棒からなる網ガイド体と、該洗浄作業台の下方に配置した排水性を有する異物収容体と、前記漁網洗浄部に向けて上方から高圧洗浄水を噴射する洗浄ノズルとから構成し、前記洗浄作業台の一側から他側に向けて被洗浄網を前記網ガイド体で案内しながら前記漁網洗浄部上を移動させる間に、該被洗浄網に前記洗浄ノズルから高圧洗浄水を噴射するようにしたものからなる。
（２）そして、前記洗浄作業台は、前記漁網洗浄部を前側より後側が高い傾斜面に支持するとよい。
（３）また、前記漁網受け体は、前記網支持体に長めの結束バンドを用いて締着し、該結束バンドの余丁部は前記漁網洗浄部の下方に突出させるとよい。
（４）更に、前記洗浄作業台には、前記洗浄ノズルを回動、かつ俯仰動可能に支持するノズル支持体を設けるとよい。
（５）また、前記洗浄作業台の他側位置に、前記被洗浄網を一側から他側に移動させる網移動機構を配置するとよい。
（６）そして、洗浄作業台を構成し、棒鋼を格子状に組んだ網支持体上に漁網受け体を交換可能に係着してなる漁網洗浄部上を、該洗浄作業台の横方向一側に互いに離間して設けた一対のガイド棒からなる網ガイド体で案内しながら被洗浄網を一側から他側に向けて移動させ、上方から高圧洗浄水を噴射して該被洗浄網に付着している異物を除去し、除去した異物は前記洗浄作業台の下に配置した排水性を有する異物収容体内に収容するようにするとよい。